(57)【要約】【課題】細片に破砕されても固形化粧料をスポンジやパフなどの化粧料に適切に付着させることが可能で、使用性を改善することができるコンパクト容器の提供を目的とする。【解決手段】容器本体２に、これを開閉すべく回動自在に設けられた外蓋３と、容器本体に形成された化粧料皿収納部４と、細片に破砕され得る固形化粧料Ｐが充填され、かつ当該固形化粧料を化粧具で擦り取るための開口部５が形成されて、化粧料皿収納部に収納される化粧料皿６と、容器本体に、化粧料皿の開口部を覆うべく回動自在に設けられた内蓋７と、内蓋と容器本体との間に設けられ、内蓋を容器本体に係脱自在に係止する係止部８と、内蓋に、化粧料皿の開口部に面して形成された窓部９と、窓部内方に張り渡され、化粧料皿の内方へ向かって伸展される伸縮性を有するメッシュ状カバー１０とを備える。【選択図】図１
2008178463.tif 000002
【特許請求の範囲】
【請求項１】
容器本体に、これを開閉すべく回動自在に設けられた外蓋と、上記容器本体に形成された化粧料皿収納部と、細片に破砕され得る固形化粧料が充填され、かつ当該固形化粧料を化粧具で擦り取るための開口部が形成されて、上記化粧料皿収納部に収納される化粧料皿と、上記容器本体に、上記化粧料皿の開口部を覆うべく回動自在に設けられた内蓋と、該内蓋と上記容器本体との間に設けられ、該内蓋を該容器本体に係脱自在に係止する係止部と、上記内蓋に、上記化粧料皿の開口部に面して形成された窓部と、該窓部内方に張り渡され、上記化粧料皿の内方へ向かって伸展される伸縮性を有するメッシュ状カバーとを備えたことを特徴とするコンパクト容器。
【発明の詳細な説明】
【技術分野】
【０００１】
本発明は、細片に破砕されても、固形化粧料をスポンジやパフなどの化粧料に適切に付着させることが可能で、使用性を改善することができるコンパクト容器に関する。
【背景技術】
【０００２】
粉末化粧料を収納した化粧料容器に、粉末化粧料のパフへの付着操作を良好にする目的で、伸縮性のネットを展張させて設けた「粉末化粧料容器の伸縮性ネットシフタ」が知られている（特許文献１参照）。
【特許文献１】実開昭６３−１７７４０６号公報
【発明の開示】
【発明が解決しようとする課題】
【０００３】
ファンデーションやブラッシャーなどの固形化粧料の場合には、粉末化粧料の場合と異なり、スポンジやパフ、筆などの化粧具を直接擦り付けることで適度な量の化粧料を取り出すことができるため、化粧料を覆うネットを設ける必要はなかった。
【０００４】
他方、固形化粧料は、粉末化粧料とは異なり、化粧料容器の落下などで衝撃が加わると、化粧料に割れが生じて細片化するため、その後の使用に不都合が生じるという課題があった。具体的には、細片化した化粧料をそのままにして使用しようとすると、うまくスポンジ等に化粧料を付着させることができず、また細片を取り除くのでは、化粧料として使用可能であるにもかかわらず、使わないまま捨てることとなり、不経済であるという課題があった。
【０００５】
本発明は上記従来の課題に鑑みて創案されたものであって、細片に破砕されても、固形化粧料をスポンジやパフなどの化粧具に適切に付着させることが可能で、使用性を改善することができるコンパクト容器を提供することを目的とする。
【課題を解決するための手段】
【０００６】
本発明にかかるコンパクト容器は、容器本体に、これを開閉すべく回動自在に設けられた外蓋と、上記容器本体に形成された化粧料皿収納部と、細片に破砕され得る固形化粧料が充填され、かつ当該固形化粧料を化粧具で擦り取るための開口部が形成されて、上記化粧料皿収納部に収納される化粧料皿と、上記容器本体に、上記化粧料皿の開口部を覆うべく回動自在に設けられた内蓋と、該内蓋と上記容器本体との間に設けられ、該内蓋を該容器本体に係脱自在に係止する係止部と、上記内蓋に、上記化粧料皿の開口部に面して形成された窓部と、該窓部内方に張り渡され、上記化粧料皿の内方へ向かって伸展される伸縮性を有するメッシュ状カバーとを備えたことを特徴とする。
【発明の効果】
【０００７】
本発明にかかるコンパクト容器にあっては、細片に破砕されても、固形化粧料をスポンジやパフなどの化粧具に適切に付着させることができ、使用性を改善することができる。
【発明を実施するための最良の形態】
【０００８】
以下に、本発明にかかるコンパクト容器の好適な一実施形態を、添付図面を参照して詳細に説明する。本実施形態にかかるコンパクト容器１は基本的には、図１〜図３に示すように、容器本体２に、これを開閉すべく回動自在に設けられた外蓋３と、容器本体２に形成された化粧料皿収納部４と、細片に破砕され得る固形化粧料Ｐが充填され、かつ当該固形化粧料Ｐを化粧具４０で擦り取るための開口部５が形成されて、化粧料皿収納部４に収納される化粧料皿６と、容器本体２に、化粧料皿６の開口部５を覆うべく回動自在に設けられた内蓋７と、内蓋７と容器本体２との間に設けられ、内蓋７を容器本体２に係脱自在に係止する係止部８と、内蓋７に、化粧料皿６の開口部５に面して形成された窓部９と、窓部９内方に張り渡され、化粧料皿６の内方へ向かって伸展される伸縮性を有するメッシュ状カバー１０とを備えて構成される。
【０００９】
容器本体２は合成樹脂材で形成される。容器本体２には、化粧料皿収納部４が円筒状に凹設される。容器本体２の前端部には、後方に向かって適当な幅の凹所１１が形成される。凹所１１の後面１１ａには、前方に突出された突出部１２が設けられる。
【００１０】
化粧料皿収納部４と凹所１１の間には、化粧料皿収納部４前方に位置する容器本体２の前壁部２ａを切り欠くことで、化粧料皿収納部４に面して切り欠き部１３が形成される。容器本体２には、容器本体２を開閉するために、鏡１４を備えた合成樹脂製の外蓋３が回動自在に連結される。具体的には、容器本体２の後端部に設けられた左右一対の第１ヒンジ片１５と、外蓋３の後端部に設けられ、第１ヒンジ片１５間に挿入されるヒンジブロック１６とが、第１ヒンジピン１７を介することによって、回動自在に連結される。外蓋３の前端縁部にはフック片１８が垂下形成され、このフック片１８には、後方に突出したフック突起１９が設けられる。フック片１８のフック突起１９と、容器本体２の凹所１１内の突出部１２とが係脱自在に係合され、これにより容器本体２は外蓋３で閉じられる。
【００１１】
凹所１１内には、プッシュピース２０が容器本体２の前後方向にスライド自在に設けられる。プッシュピース２０は、容器本体２の凹所１１の高さとほぼ等しい高さの押圧用前壁２０ａと、これより後方へ延びる底壁２０ｂとを有して、側断面ほぼＬ字状に形成される。プッシュピース２０は、その底壁２０ｂから下方に突出して形成されたスライド突起３０と、容器本体２に形成されたスライド溝３１とによって、スライド移動が案内される。
【００１２】
プッシュピース２０の押圧用前壁２０ａの後面には、底壁２０ｂとの隅部から後方へ延長して、押し上げ片２０ｃが一体的に形成される。押し上げ片２０ｃは、押圧用前壁２０ａを手指などで後方に向かって押圧操作することにより、その後端部が凹所１１の後面１１ａに当接しながらスライド移動して立ち上がる。これにより、押し上げ片２０ｃの上方に位置する外蓋３のフック片１８が押し上げられ、フック片１８に形成されたフック突起１９と、容器本体２の凹所１１内の突出部１２の係合が解除され、外蓋３が開放可能となる。
【００１３】
化粧料皿収納部４には、合成樹脂製の化粧料皿６が収納される。化粧料皿６は、上部に開口部５を有する浅底の中空筒体状に形成される。この化粧料皿６内部には、固形化粧料Ｐが充填される。固形化粧料Ｐは、粉末化粧料とは異なり、衝撃などが加わると細片に破砕され得る、堅く脆い性質を有する。化粧料皿６に充填された固形化粧料Ｐは、化粧料皿６の開口部５を介してこれに擦り付けられるスポンジやパフ、筆などの化粧具４０に付着される。
【００１４】
化粧料皿収納部４の後方に位置する容器本体２の後壁部２ｂには、下方へ窪ませて、窪み部２１が形成される。この窪み部２１に手指を挿入して化粧料皿６を引き上げることで、当該化粧料皿６を取り外し操作することもできる。
【００１５】
内蓋７は、合成樹脂材で形成される。内蓋７は、化粧料皿６の開口部５を覆うために、容器本体２に回動自在に設けられる。具体的には、内蓋７の後端部に設けられた左右一対の第２ヒンジ片２２それぞれを、容器本体２の後端部に設けられた第１ヒンジ片１５と、外蓋３の後端部に設けられたヒンジブロック１６との間に挿入して、第１ヒンジピン１７を介して連結することにより、内蓋７は容器本体２と外蓋３の間にこれらに対して回動自在に連結される。内蓋７の外形寸法は、化粧料皿６の開口部５を覆うように開口部５の外形寸法よりも大きく形成され、かつ当該内蓋７を閉じて容器本体２上面に重ね合わせた状態で、閉じられた外蓋３の内部に納まるように形成される。
【００１６】
内蓋７と容器本体２との間には、内蓋７の前端縁部から垂下形成された爪片２３に突設された第１係止突起２４と、容器本体２の切り欠き部１３内方に後方に向かって突設された第２係止突起２５とから構成される係止部８が設けられる。係止部８は、内蓋７を容器本体２に係脱自在に係止するために設けられる。内蓋７の前端部が下方に押圧されることによって、第１係合突起２４と容器本体２の第２係合突起２５が係止され、容器本体２に対して内蓋７の閉止状態が保持される。内蓋７には、その前端上部に外方に突出させて鍔部２６が設けられる。内蓋７は、鍔部２６を手指で引き上げることにより、第１係止突起２４と第２係止突起２５の係止状態が解除され、容器本体２に対し、開放可能とされる。
【００１７】
内蓋７には、化粧料皿６の開口部５に面して、窓部９が形成される。窓部９は、これを介してパフなどの化粧料具で固形化粧料Ｐを擦り取るために、開口部５よりも大きく形成される。
【００１８】
内蓋７に形成された窓部９には、その内方に張り渡してメッシュ状カバー１０が設けられる。このメッシュ状カバー１０は内蓋７に、インサート成形により一体的に、あるいは接着剤などによって取り付けられる。メッシュ状カバー１０は、伸展自在な伸縮性を有する合成樹脂材などで形成される。具体的には例えば、極細繊維を伸び縮みするように網目状に編んだ布状材が用いられる。女性用ストッキングに用いられる薄手の合成繊維素材などが好ましい。この種の材料は、引き延ばして伸展させた状態から開放すると、縮んで元の状態に復原する弾性的性質を有する。また、メッシュの寸法は、細片の通過を妨げるように、ミクロンオーダーからミリメートルオーダーとされる。メッシュ状カバー１０は、それを形成する布状材等を二重折りするなどして、形成されるメッシュの形状が不規則になり、またメッシュ寸法がさらに細かくなるようにしても良い。メッシュ状カバー１０は、多孔性ゴムシートであっても良い。
【００１９】
メッシュ状カバー１０は、適度なテンションが加えられた状態で、内蓋７に形成された窓部９内方に張り渡して設けられる。メッシュ状カバー１０は、係止部８の係止による内蓋７の閉止状態で、化粧料皿６の内方に向かって伸展可能な状態で化粧料皿６の開口部５全面を覆って設けられる。
【００２０】
コンパクト容器１の内方には、スポンジやパフ、筆などの化粧具４０を収納するための化粧具収納スペースＳが形成される。化粧具収納スペースＳは、容器本体２を外蓋３で閉止した状態で、内蓋７の上方に形成される。
【００２１】
次に、本実施形態にかかるコンパクト容器１の作用について説明する。製造にあたっては、あらかじめメッシュ状カバー１０を内蓋７に一体的に取り付けておく。他方、化粧料皿６に固形化粧料Ｐを充填し、その化粧料皿６を容器本体２の化粧料皿収納部４に収納し、係止部８によって内蓋７を閉止する。使用に際しては、外蓋３を開放し、化粧具４０をメッシュ状カバー１０の上から擦りつけるようにする。これにより、化粧料皿６内の固形化粧料Ｐを化粧具４０に付着させることができる。
【００２２】
本実施形態にあっては、容器本体２の化粧料皿収納部４に収納した化粧料皿６の開口部５全面を、内蓋７に設けたメッシュ状カバー１０で覆っているので、コンパクト容器１の落下で衝撃が加わるなどして固形化粧料Ｐが破砕され、細片化したとしても、これら細片が飛び散ることを防止することができる。また、破砕された細片をそのまま化粧料皿６内に保持することができる。さらに、メッシュ状カバー１０は化粧料皿６内方へ向かって伸展される伸縮性を有するので、固形化粧料Ｐが細片化してもメッシュ状カバー１０の上から化粧具４０を擦り付けることで適切に付着させることができ、継続して無駄なく固形化粧料Ｐを使用することができる。
【００２３】
また、本実施形態にあっては、内蓋７が開閉可能に容器本体２に取り付けられているので、メッシュ状カバー１０を介して化粧具４０に固形化粧料Ｐを付着させることのみならず、係止部８を離脱し内蓋７を開放して、メッシュ状カバー１０を介さずに化粧具４０に直接固形化粧料Ｐを付着させることにより、化粧具４０に付着させる固形化粧料Ｐの量を多くしたい場合などに付着量の調節ができる等、化粧の仕方に柔軟に対応できる。同様に、内蓋７を開放することで、化粧料皿６内部の隅々に残った固形化粧料Ｐを無駄なく使用することができる。
【００２４】
勿論、内蓋７を閉じた状態であっても、メッシュ状カバー１０は、伸展される伸縮性を有するため、化粧具４０を押し付ければメッシュ状カバー１０が伸びて、化粧料皿６内部の隅々まで化粧具４０を擦り付けることができ、固形化粧料Ｐを無駄なく使用することができる。また、押し付けていた化粧具４０をメッシュ状カバー１０から離せば、メッシュ状カバー１０は縮んで元に戻り、化粧料皿６の開口部５周りの外観を美麗に維持することができる。
【００２５】
さらに、化粧料皿６にメッシュ状カバー１０を取り付けずに、容器本体２の内蓋７にメッシュ状カバー１０を取り付けたメッシュ状カバー１０付きのコンパクト容器１とすることができるので、化粧料皿６のみを取り替え可能なレフィル容器にすることができ、交換品となる化粧料皿６のコストを軽減することができる。加えて、外蓋３及び内蓋７の２つの蓋を同一の第１ヒンジピン１７で、容器本体２に一括して組み付けていることで、内蓋７を開放して使用する場合においても、前方及び左右の三方の面が開放され、内蓋７が邪魔にならず、使用性を向上することもできる。
【００２６】
図４には、上記実施形態の変形例が示されている。この変形例では、化粧料収納スペースＳは、容器本体２の左右方向中央に設けられた仕切り壁２ｃを挟んで化粧料皿収納部４と隣り合わせに設けられる。また、内蓋７を外蓋３の取付箇所に単一の第１ヒンジピン１７で連結することに代えて、上記実施形態とは異なり容器本体２の左端部に前後一対の第３ヒンジ片２７を設け、これら第３ヒンジ片２７間に内蓋７の第２ヒンジ片２２を、第２ヒンジピン２８を介して連結するようにしている。第１係止突起２４と係止される第２係止突起２５は、仕切り壁２ｃに設けられている。
【００２７】
このような変形例にあっても、上記実施形態と同様の作用・効果を奏するのはもちろんである。特にこの変形例にあっては、内蓋７を、同一の第１ヒンジピン１７で外蓋３と一括して設けず、容器本体２の左端部に外蓋３とは独立させて組み付けているので、取付時に外蓋３と内蓋７の位置合わせが不要であり、容易な組み付け作業でコンパクト容器１を製造することができる。使用に際しては、開放操作により外蓋３が後方に倒れ、内蓋７が左方に倒れるため、内蓋７が外蓋３の鏡１４と干渉することがなく、内蓋７のメッシュ状カバー１０に付着している化粧料が飛散して鏡１４が汚れるのを防止することができ、加えて、化粧をする際に、内蓋７が邪魔になることなく鏡１４を見ることができる。また、化粧具収納スペースＳが化粧料皿収納部４に隣接して設けられているので、化粧具４０を化粧具収納スペースＳに置いたまま内蓋７の開閉操作を行うことができる。
【図面の簡単な説明】
【００２８】
【図１】本発明にかかるコンパクト容器の好適な一実施形態を示す分解斜視図である。
【図２】図１のコンパクト容器の内蓋を開いた状態を示す部分側断面図である。
【図３】図１のコンパクト容器の内蓋・外蓋を閉じた状態を示す側断面図である。
【図４】本発明にかかるコンパクト容器の変形例を示す側断面図である。
【符号の説明】
【００２９】
１    コンパクト容器
２    容器本体
３    外蓋
４    化粧料皿収納部
５    開口部
６    化粧料皿
７    内蓋
８    係止部
９    窓部
１０  メッシュ状カバー
Ｐ    固形化粧料
【図１】
2008178463.tif 000003
【図２】
2008178463.tif 000004
【図３】
2008178463.tif 000005
【図４】
2008178463.tif 000006